(57)【要約】【課題】本発明の目的は、記録映像から容易に所望の映像を検索表示することである。【解決手段】本発明の映像記録システムは、ネットワークを介して映像記録装置と映像データ記録装置と表示端末を接続する映像記録システムであって、映像記録装置は撮像部で撮影した映像データとＧＰＳ受信部で受信した設置位置情報を映像ファイルデータとして記録部に記憶すると共にネットワークに配信し、映像データ記録装置は配信された映像ファイルデータを記憶し、表示端末は表示装置に表示した地図上に範囲を指定する指定手段を有し、該指定手段で指定された範囲または範囲付近に設定した前記映像ファイルデータを映像データ記録装置から読み出して映像表示ウィンドウで表示することを特徴とする。【選択図】  図１
2017228074.tif 000002
【特許請求の範囲】
【請求項１】
ネットワークを介して映像記録装置と映像データ記録装置と表示端末を接続する映像記録システムであって、
前記映像記録装置は、撮像部で撮影した映像データと当該撮影部の位置情報を映像ファイルデータとして記録部に記憶すると共にネットワークに配信し、
前記映像データ記録装置は、配信された前記映像ファイルデータを記憶し、
前記表示端末は、表示装置に表示した地図上に範囲を指定する指定手段を有し、該指定手段で指定された範囲または範囲付近に設定した前記撮像部が撮像した前記映像ファイルデータを前記映像データ記録装置から読み出して表示することを特徴とする映像記録システム。
【請求項２】
請求項１に記載の映像記録システムにおいて、
前記表示端末は、前記映像ファイルデータの内、所定の映像データを撮影した日付を指定するためのカレンダと、前記映像ファイルデータの内、所定の映像データを撮影した時刻を指定するための時刻バーから所定の映像ファイルデータを検索して表示することを特徴とする映像記録システム。
【請求項３】
請求項１乃至請求項２に記載の映像記録システムにおいて、
前記表示装置に表示した地図上に前記撮像部の向きや画角、ズーム等の設置状況を表示することを特徴とする映像記録システム。
【請求項４】
請求項１乃至請求項３に記載の映像記録システムにおいて、
前記表示端末は、前記映像ファイルデータの映像データを動体検知して代表映像を表示することを特徴とする映像記録システム。
【請求項５】
ネットワークを介して映像記録装置と映像データ記録装置と表示端末を接続する映像記録システムであって、
撮像部で撮影した映像データとＧＰＳ受信部で受信した設置位置情報を前記映像記録装置に映像ファイルデータとして記憶すると共にネットワークに配信し、
配信された前記映像ファイルデータを前記映像データ記録装置に記憶し、
前記表示装置に表示した地図上に範囲を指定し、
指定の範囲または範囲付近に設定した所定の映像ファイルデータを前記映像データ記録装置から読み出して映像表示ウィンドウで表示することを特徴とする映像表示方法。
【請求項６】
請求項５に記載の映像表示方法において、
前記映像ファイルデータの内、所定の映像を撮影した日付を指定するためのカレンダと、前記映像ファイルデータの内、所定の映像データを撮影した時刻を指定するための時刻バーから所定の映像ファイルデータを検索して表示することを特徴とする映像表示方法。
【請求項７】
請求項５乃至請求項６に記載の映像表示方法において、
前記表示装置に表示した地図上に前記撮像部の向きや画角、ズーム等の設置状況を表示することを特徴とする映像表示方法。
【請求項８】
請求項５乃至請求項７に記載の映像表示方法において、
前記映像ファイルデータの映像データを動体検知して代表映像を表示することを特徴とする映像表示方法。
【発明の詳細な説明】
【技術分野】
【０００１】
本発明は、映像記録システムおよび映像表示方法に関するものである。
【背景技術】
【０００２】
監視カメラ等の撮像装置は、ホテルやビル、コンビニエンスストアや金融機関、ダムまたは道路等といった様々な公共施設等において、犯罪抑止や事後検証、事故防止等の目的で設置されている。
近年は、監視カメラの画像をデジタル化し、インターネットに代表されるネットワークを介して、映像を伝送し、記録装置での映像記録やＰＣ（Personal  Computer）にて映像表示を行うネットワーク型の画像監視システムが普及している。
このようなネットワーク型の映像監視システムではカメラや記録装置は固定された場所に設置し、度々設置場所を変更は行わない。
【０００３】
一方で短期間のみ設置し設置場所の変更を前提とした可搬型の映像監視システムがある。可搬型の映像監視システムでは、カメラと記録装置で構成され、記録装置には取り外し可能な記録媒体が接続され、画像データは記録媒体に記録される。カメラ及び記録装置の設置場所が固定されておらず、また記録媒体も取り外し及び交換が可能なため、記録装置にＧＰＳ（Global  Positioning  System）受信機を内蔵し位置情報を取得して映像データと共にメタデータとして記録し、どの位置で撮影されたかを判別する。他に時刻情報、動体検知情報をメタデータとして記録している。記録映像の再生は記録装置の記録媒体をＰＣに接続し、記録映像の表示を行う。
【０００４】
先行技術文献としては、例えば、特許文献１に、画像のフレームに複数の領域を設定し、設定された複数の領域のそれぞれ毎に、画像に関する時間的な変化の度合いを表す値を検出し、検出された値が例えば設定された閾値以上である場合に動体の画像部を検出する発明が開示されている。
【先行技術文献】
【特許文献】
【０００５】
【特許文献１】特開２０１２−５０４３号公報
【発明の概要】
【発明が解決しようとする課題】
【０００６】
本発明の目的は、記録映像から容易に所望の映像を検索表示することである。
【課題を解決するための手段】
【０００７】
本発明の映像記録システムは、ネットワークを介して映像記録装置と映像データ記録装置と表示端末を接続する映像記録システムであって、映像記録装置は撮像部で撮影した映像データと当該撮影部の位置情報を映像ファイルデータとして記録部に記憶すると共にネットワークに配信し、映像データ記録装置は配信された前記映像ファイルデータを記憶し、表示端末は表示装置に表示した地図上に範囲を指定する指定手段を有し、該指定手段で指定された範囲または範囲付近に設定した撮像部が撮像した映像ファイルデータを映像データ記録装置から読み出して表示することを特徴とする。
【０００８】
また、表示端末は、映像ファイルデータの内、所定の映像データを撮影した日付を指定するためのカレンダと、映像ファイルデータの内、所定の映像データを撮影した時刻を指定するための時刻バーから所定の映像ファイルデータを検索して表示することが好ましい。
【０００９】
また、表示装置に表示した地図上に前記撮像部の向きや画角、ズーム等の設置状況を表示することが好ましい。
【００１０】
また、表示端末は、映像ファイルデータの映像データを動体検知して代表映像を表示することが好ましい。
【００１１】
また、本発明の映像表示方法は、ネットワークを介して映像記録装置と映像データ記録装置と表示端末を接続する映像記録システムであって、撮像部で撮影した映像データとＧＰＳ受信部で受信した設置位置情報を映像記録装置に映像ファイルデータとして記憶すると共にネットワークに配信し、配信された映像ファイルデータを映像データ記録装置に記憶し、表示装置に表示した地図上に範囲を指定し、指定の範囲または範囲付近に設定した所定の映像ファイルデータを映像データ記録装置から読み出して映像表示ウィンドウで表示することを特徴とする。
【００１２】
また、上記の映像表示方法は、映像ファイルデータの内、所定の映像を撮影した日付を指定するためのカレンダと、映像ファイルデータの内、所定の映像データを撮影した時刻を指定するための時刻バーから所定の映像ファイルデータを検索して表示することが好ましい。
【００１３】
また、上記の映像表示方法は、表示装置に表示した地図上に撮像部の向きや画角、ズーム等の設置状況を表示することが好ましい。
【００１４】
さらに、上記の映像表示方法は、映像ファイルデータの映像データを動体検知して代表映像を表示することが好ましい。
【発明の効果】
【００１５】
本発明によれば、記録映像から容易に所望の映像を検索表示することができる。
【図面の簡単な説明】
【００１６】
【図１】本発明の一実施例に係る映像記録システムの構成を示す図である。
【図２】本発明の一実施例に係る映像記録装置の構成を示す図である。
【図３】本発明の一実施例に係る映像ファイルデータのフォーマットを示す図である。
【図４】本発明の一実施例に係る映像記録システムの表示装置に表示する内容を説明するための画面図である。
【図５】本発明の他の一実施例に係る映像記録装置の動作を説明するためのフローチャートである。
【図６】本発明の他の一実施例に係る映像記録装置の構成を示す図である。
【図７】本発明の他の一実施例に係る映像ファイルデータのフォーマットを示す図である。
【図８】本発明の他の一実施例に係る映像記録システムの表示装置に表示する内容を説明するための画面図である。
【図９】本発明のさらに他の一実施例に係る映像記録システムの表示装置に表示する内容を説明するための画面図である。
【発明を実施するための形態】
【００１７】
以下、本発明の実施形態について図面を参照して詳細に説明する。
（実施例１）
最初に、経路指定または範囲指定による映像検索および映像表示について図１〜図４を用いて説明する。
図１は本発明の一実施例に係る映像記録システムの構成を示す図である。
映像記録システムは、少なくとも１台の映像記録装置１００と、表示端末であるＰＣ（Personal  Computer）１０７と、映像データ記録装置１１１がネットワーク１１０で接続されている。
なお、ＰＣ１０７と映像データ記録装置１１１は一体構造であってもよい。
【００１８】
地図情報を記憶している地図情報データベース１０９は、ＰＣ１０７と接続されているが、ネットワーク１１０と直接接続される形態でもよい。
映像データ記録装置１１１は、映像記録装置１００が撮影した映像データを記憶する記録映像データベース１１３と、映像記録装置１００の設置場所を記憶している位置情報データベース１１２と接続されている。
なお、映像データ記録装置１１１と位置情報データベース１１２と記録映像データベース１１３は一体構造であってもよい。
【００１９】
映像記録装置１００は、撮像部１０１、ＧＰＳ（Global  Positioning  System）受信部１０２、記録部１０３で構成されている。
撮像部１０１は、所定の監視場所を撮影する。
ＧＰＳ受信部１０２は、映像記録装置１００の設置場所を取得する。
記録部１０３は、撮像部１０１が撮影した映像データと、ＧＰＳ受信部１０２が取得した位置情報とを映像ファイルデータとして記憶するものであり、取り外し可能な記録媒体１０４を有していてもよい。
記録媒体１０４は、ＨＤＤ（Hard  Disc  Drive）や不揮発性の半導体メモリ等である。
表示端末であるＰＣ１０５は、取り外した記録媒体１０４と接続して記憶している映像データ等を読み出して記録映像データベース１１３に記憶させる。
なお、映像記録装置１００が据え置き型（非可搬型）の場合は、ＧＰＳ受信部１０２がなくてもよい。
【００２０】
図２は本発明の一実施例に係る映像記録装置の構成を示す図である。
図２の映像記録装置２００は、短期間設置するための可搬型である。
可搬型の映像記録装置２００は、撮像部２０１、ＧＰＳ受信部２０２、記録部２０３で構成されている。
記録部２０３は、取り外し可能な記録媒体２０４を有している。
【００２１】
記録部２０３は、撮像部２０１が撮影した映像データを非圧縮またはＪＰＥＧ（Joint  Photographic  Experts  Group）やＨ．２６４（MPEG-4  AVC/AVC）等で圧縮し、ＧＰＳ受信部２０２で受信した位置情報を映像ファイルデータとして記録媒体２０４に記憶する。
なお、記録部２０３は、さらに動体検知機能を有し、動体検知機能で検知した動体検知箇所を示す検知情報をメタデータとして記憶してもよい。
【００２２】
表示端末であるＰＣ２０５は、映像記録装置２００から取り外した記録媒体２０４と接続して記憶してある映像ファイルデータを表示する。
なお、ＰＣ２０５は、図示していないネットワークと接続して記録媒体２０４に記憶してある映像データを配信してもよい。
【００２３】
図３は本発明の一実施例に係る映像ファイルデータのフォーマットを示す図である。
映像ファイルデータは、記録映像ファイルヘッダ３０１と、記録映像フレームヘッダ３０２−１〜３０２−ｎ（ｎは正数）と、メタデータ３０３−１〜３０３−ｎと、映像データ３０４−１〜３０４−ｎで構成されている。
【００２４】
記録映像ファイルヘッダ３０１は、ファイルフォーマットバージョンや圧縮方式等が記載されており、ファイルの先頭に付加される。
記録映像フレームヘッダ３０２−１〜３０２−ｎは、格納される映像フレームのサイズが格納される。
メタデータ３０３−１〜３０３−ｎは、位置情報や時刻情報及び動体検知情報などが格納される。
映像データ３０４−１〜３０４−ｎは、映像データの１フレームが格納される。
【００２５】
次に、経路指定または範囲指定による映像検索および映像表示について図４を用いて説明する。
図４は本発明の一実施例に係る映像記録システムの表示装置（表示画面）に表示する内容を説明するための画面図である。
図４（Ａ）は、ＰＣ１０５，１０７，２０５の表示装置に経路を指定した場合の画面表示の図である。
ＰＣ１０５，１０７，２０５は、マウス等のポインティングデバイスを有している。
なお、表示装置はタッチパネルの機能を有していてもよい。
【００２６】
表示画面４００は、地図４０１、映像ファイルの撮影した年月を指定するためのカレンダ４０２、映像ファイルの撮影した時刻を指定するための時刻バー４０３、映像ファイルの再生制御を行う再生制御部４０４、再生している映像を表示する映像リスト（映像記録装置が撮影した緯度経度と住所）４０５、ルート指定時のルート開始位置４０６、選択されたルートを表すルート４０７、ルート終了位置４０８、映像表示ウィンドウ４０９（４０９−１、４０９−２、４０９−３）から構成されている。
【００２７】
次に、映像データの検索方法について、図４（Ａ）を用いて説明する。
ＰＣ１０５，１０７，２０５の操作者は、検索したい日時を表示画面４００上のカレンダ４０２と時刻バー４０２で指定する。次に、操作者は、地図４０１上でルート開始位置４０６を指定し、ルート終了位置４０８を検索したいルートに沿ってドラッグしてルート終了位置４０８をクリック等で決定する。
【００２８】
ＰＣ１０５は、日時とルート４０７が入力されると、記録媒体１０４から該当する映像ファイルデータを読み出し（検索し）、表示画面４００に映像リスト４０５と映像表示ウィンドウ４０９を表示する。
また、ＰＣ１０７は、日時とルート４０７が入力されると、記録映像データベース１１３と位置情報データベース１１２から該当する映像ファイルデータを読み出し（検索し）、表示画面４００に映像リスト４０５と映像表示ウィンドウ４０９を表示する。
また、ＰＣ２０５は、日時とルート４０７が入力されると、記録媒体２０４から該当する映像ファイルデータを読み出し（検索し）、表示画面４００に映像リスト４０５と映像表示ウィンドウ４０９を表示する。
【００２９】
映像表示ウィンドウ４０９は、読み出（検索）された映像ファイルデータの位置情報に基づいて地図４０１上に表示される。本一実施例では、映像表示ウィンドウ４０９−１，４０９−２，４０９−３が表示される。
【００３０】
ＰＣ１０５，１０７，２０５は、再生制御部４０４の再生ボタンが押下されると、読み出（検索）された映像ファイルデータの再生を開始する。
なお、読み出（検索）された映像ファイルデータが複数ある場合は、同時に同期再生が可能であり、複数の中から１乃至複数を選択することもできる。
【００３１】
図４（Ｂ）は、ＰＣ１０５，１０７，２０５の表示装置に範囲を指定した場合の画面表示の図である。
表示画面４２０は、地図４１１、映像ファイルの撮影した年月を指定するためのカレンダ４０２、映像ファイルの撮影した時刻を指定するための時刻バー４０３、映像ファイルの再生制御を行う再生制御部４０４、再生している映像を表示する映像リスト（映像記録装置が撮影した緯度経度と住所）４０５、映像表示ウィンドウ４０９（４０９−１、４０９−２、４０９−３）、範囲指定時の範囲枠４１０から構成されている。
【００３２】
次に、映像データの検索方法について、図４（Ｂ）を用いて説明する。
ＰＣ１０５，１０７，２０５の操作者は、検索したい日時を表示画面４２０上のカレンダ４０２と時刻バー４０２で指定する。次に、操作者は、地図４０１上で範囲枠４１０の開始位置と終了位置をポインティングデバイス等で決定する。
【００３３】
ＰＣ１０５は、日時と範囲枠４１０が入力されると、記録媒体１０４から該当する映像ファイルデータを読み出し（検索し）、表示画面４２０に映像リスト４０５と映像表示ウィンドウ４０９を表示する。
また、ＰＣ１０７は、日時と範囲枠４１０が入力されると、記録映像データベース１１３と位置情報データベース１１２から該当する映像ファイルデータを読み出し（検索し）、表示画面４２０に映像リスト４０５と映像表示ウィンドウ４０９を表示する。
また、ＰＣ２０５は、日時と範囲枠４１０が入力されると、記録媒体２０４から該当する映像ファイルデータを読み出し（検索し）、表示画面４２０に映像リスト４０５と映像表示ウィンドウ４０９を表示する。
【００３４】
映像表示ウィンドウ４０９は、読み出（検索）された映像ファイルデータの位置情報に基づいて地図４０１上に表示される。本一実施例では、映像表示ウィンドウ４０９−１，４０９−２，４０９−３が表示される。ここで、表示画面４２０にズームボタンを設けることにより各映像表示ウィンドウ４０９の全部又は一部を拡大表示し、詳細を確認することができる。尚、各映像表示ウィンドウ４０９は必ずしも地図４０１上に表示される必要はなく、別途モニタ画面を設けて別の画面に表示してもよい。
【００３５】
ＰＣ１０５，１０７，２０５は、再生制御部４０４の再生ボタンが押下されると、読み出（検索）された映像ファイルデータの再生を開始する。
なお、読み出（検索）された映像ファイルデータが複数ある場合は、同時に同期再生が可能であり、複数の中から１乃至複数を選択することもできる。また、時間を指定して再生するとこも可能であり、再生時間を地図上に表示しつつ映像ファイルデータを表示してもよい。
【００３６】
（実施例２）
次に、実施例１において、被写体が水平に撮像されなかった場合の映像検索および傾き補正後の映像表示について図５〜図８を用いて説明する。
図６は本発明の他の一実施例に係る映像記録装置の構成を示す図である。
可搬型の映像記録装置６００は、撮像部６０１、角度センサ部６０２、記録部６０３で構成されている。
記録部６０３は、取り外し可能な記録媒体６０４を有している。
【００３７】
記録部６０３は、撮像部６０１が撮影した映像データを非圧縮またはＪＰＥＧやＨ．２６４等で圧縮して記録媒体６０４に記憶する。
また、記録媒体６０４は、映像データの他に、撮像部の水平位置からの角度情報を角度センサ部６０２から得て記憶する。
なお、記録部６０３は、さらに動体検知機能を有し、動体検知機能で検知した動体検知箇所を示す検知情報をメタデータとして記憶してもよい。
【００３８】
表示端末であるＰＣ６０５は、映像記録装置６００から取り外した記録媒体６０４と接続して記憶してある映像データを表示する。
なお、ＰＣ６０５は、図示していないネットワークと接続して記録媒体６０４に記憶してある映像データを配信してもよい。
【００３９】
図７は本発明の他の一実施例に係る映像ファイルデータのフォーマットを示す図である。
記録映像ファイルは、記録映像ファイルヘッダ７０１と、記録映像フレームヘッダ７０２−１〜７０２−ｍと、メタデータ７０３−１〜７０３−ｍと、映像データ７０４−１〜７０４−ｍで構成されている。
【００４０】
記録映像ファイルヘッダ７０１は、ファイルフォーマットバージョンや圧縮方式等が記載されており、ファイルの先頭に付加される。
記録映像フレームヘッダ７０２−１〜７０２−ｍは、格納される１フレーム分の映像データのサイズが格納される。
メタデータ７０３−１〜７０３−ｍは、映像データ７０４−１〜７０４−ｍのユーザ領域に含まれる。
７０５はメタデータ７０３−１〜７０３−ｍの一例であり、撮像部の傾き情報や時刻情報及び動体検知情報などが格納される。
映像データ７０４−１〜７０４−ｍは、映像データの１フレームが格納される。
【００４１】
図８は本発明の他の一実施例に係る映像記録システムの表示装置に表示する内容を説明するための画面図である。
表示画面８００は、記録映像データを表示する映像表示部８０１、再生する記録映像データの年月を指定するためのカレンダ８０２、再生する記録映像データの時刻を指定するための時刻バー８０３、指定された年月時の記録映像データの一覧を表示する映像リスト８０４、映像データの再生制御を行う再生制御部８０５、映像表示部を回転する映像回転操作部８０６、選択された映像を表示する選択映像表示部８０７から構成されている。
なお、映像リスト８０４は、例えば、ファイル名８０４−１、動体検知代表映像８０４−２、時刻情報８０４−３等である。
【００４２】
次に、映像データの検索表示方法について、図８を用いて説明する。
まず、ＰＣ６０５の操作者は、再生したい日時をカレンダ８０２と時刻バー８０３で指定する。
ＰＣ６０５は、日時が入力されると、記録媒体６０４から該当する映像ファイルデータを読み出し（検索し）、入力された日時の映像一覧を映像リスト８０４に表示する。
【００４３】
次に、ＰＣ６０５の操作者は、再生したい映像データを映像リスト８０４から選択する。
ＰＣ６０５は、映像リスト８０４で選択された映像データを選択映像表示部８０７に表示する。
次に、ＰＣ６０５の操作者は、再生制御部８０５の再生を押下する。
ＰＣ６０５は、映像表示部８４１に選択された映像を再生表示する。
【００４４】
次に、本発明の他の一実施例の詳細な動作について図５を用いて説明する。
図５は本発明の他の一実施例に係る映像記録装置の動作を説明するためのフローチャートである。
ＰＣ６０５は、入力された日時の記録映像ファイルを読み込み（５０１）、記録映像フレームヘッダ７０２を取得し（５０２）、映像データの圧縮方式を取得する（５０３）。
【００４５】
次に、ＰＣ６０５は、記録映像フレームヘッダ７０２を取得し（５０４）、映像フレームのサイズを取得し（５０５）、１フレーム分の映像データ７０４及びメタデータ７０３を取得する（５０６）。
ＰＣ６０５は、取得したメタデータ７０３より時刻情報及び動体検知情報と共に撮像部の傾き情報を取得する（５０７）。
ＰＣ６０５は、映像データ７０４をデコードし（５０８）、デコードした画像データをメタデータ７０３より取得する。
【００４６】
ＰＣ６０５は、傾き情報から傾きの有無を判定し（５０９）、傾きが有る場合（ＹＥＳ）には（５１０）の処理に進み、傾きが無い場合（ＮＯ）には（５１１）の処理に進む。
ＰＣ６０５は、（５１０）の処理では画像データの回転処理を行い、（５１１）の処理に進む。
ＰＣ６０５は、（５１１）の処理では映像表示部８０１に画像データを表示する。
ＰＣ６０５は、回転処理を行った画像データを映像表示部８０１に表示することで再生映像の傾きを補正して表示することが可能となる。
【００４７】
ＰＣ６０５は、次フレームの映像データの有無を判定し（５１２）、次フレームが有る場合（ＹＥＳ）には（５０４）の処理に戻り、次フレームが無い場合（ＮＯ）には処理を終了する。
また、表示画面８００は、メタデータ７０３の傾き情報からの画像回転の他に映像回転操作部８０６を有し、映像回転操作部８０６が操作されることにより、映像の回転を行うことができ、メタデータ７０３の傾き情報の無い記録映像においても画像を回転して再生を行える。
【００４８】
（実施例３）
次に、表示画面に映像記録装置の撮影範囲を表示する一例について図９を用いて説明する。
図９は本発明のさらに他の一実施例に係る映像記録システムの表示装置に表示する内容を説明するための画面図である。
図９は図４と基本的に同じ構成の画面図である。
図９が図４と異なる構成は、映像記録装置の設置位置９４１−１〜９４１−３と、映像記録装置の撮影範囲９４２−１〜９４２−３が追加されたことである。
表示画面９００は、地図９０１に映像記録装置の撮影範囲９４２−１〜９４２−３を追加することにより、表示情報量を増やせる。
【００４９】
なお、隣接する映像記録装置は、互いの映像記録装置を監視できるように撮影範囲を広げて盗難防止に役立ててもよい。
【００５０】
上述の各実施例において、ＰＣ１０５，１０７，２０５，６０５は、メタデータの物体検知情報を人物検索に利用してもよい。
また、ＰＣ１０５，１０７，２０５，６０５は、複数の映像表示、吹き出し、ポップアップ、表示画面に表示する内容が多くなった場合に対応するための重ね表示等の表示機能を追加してもよい。映像表示数が多い場合に行う重ね表示では、例えば映像一覧の中で見たい映像欄にカーソルを合わせると、見たい映像が最前面に表示されるようにしてもよい。また、映像を都度表示しなくてもよく、映像の代わりにアイコン表示、矢印表示、帯表示等状況がわかるもので表示し、各表示部にカーソルを合わせると、各表示部に対応した映像が表示されるようにしてもよい。
【００５１】
また、ＰＣ１０５，１０７，２０５，６０５は、映像データより先にメタデータだけを取り出せるようにしてもよく、データ容量の少ないメタデータのみを先に取り出すことにより、必要なデータを短時間で表示することができ、迅速な情報把握につながる。
また、ＰＣ１０５，１０７，２０５，６０５は、例えば車番検知機能を有していてもよく、人物画像だけでなく用途に応じて有益な情報と組み合わせることにより、監視システムの迅速性や精度向上に役立てることができる。
さらに、ＰＣ１０５，１０７，２０５，６０５の表示装置は、複数であってもよく、各表示装置を複数の監視員が監視できるようにしてもよい。
【００５２】
記録映像装置１００，２００，６００は、撮影方向、画角、ズーム倍率等の情報をメタデータ等に挿入して、ＰＣ１０５，１０７，２０５，６０５が表示画面の地図上にカメラの撮影方向、画角、ズーム倍率等を表示させるようにしてもよい。これにより、エリアの死角箇所や目視強化箇所等が視覚的に把握しやすくなり、警備に利用しやすくなる。また、カメラ自体の盗難防止に役立てるため、隣接するカメラを相互に監視できるようにし、双方の監視状況を地図上に表示してもよい。また、動体検知の全くないカメラや記録装置を認識して電源を切るようにし、効率のよい省電力のカメラ監視に役立てるようにしてもよい。
【００５３】
本発明の実施形態である映像表示システムは、記録映像から容易に所望の映像を検索表示することができる。
【００５４】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００５５】
映像データと撮影した位置を関連付けて記憶することによって、容易に所望の映像を検索表示する用途に適用できる。
【符号の説明】
【００５６】
１００：映像記録装置、１０１：撮像部、１０２：ＧＰＳ受信部、１０３：記録部、１０４：記録媒体、１０５，１０７：ＰＣ、１０９：地図情報データベース、１１１：映像データ記録装置、１１２：位置情報データベース、１１３：記録映像データベース、２００：映像記録装置、２０１：撮像部、２０２：ＧＰＳ受信部、２０３：記録部、２０４：記録媒体、２０５：ＰＣ、４００：表示画面、４０１：地図、４０２：カレンダ、４０３：時刻バー、４０４：再生制御アイコン、４０５−１：映像記録装置の設置位置（緯度、経度）、４０５−２：住所、４０６：経路開始点、４０７：経路、４０８：経路終了点、４０９−１〜４０９−３：映像表示ウィンドウ、４１０：範囲枠、４１１：地図、６００：映像記録装置、６０１：撮像部、６０２：角度センサ部、６０３：記録部、６０４：記録媒体、６０５：ＰＣ、８００：表示画面、８０１：表示映像、８０２：カレンダ、８０３：時刻バー、８０４：映像リスト、８０４−１：ファイル名、８０４−２：動体検知代表映像、８０４−３：時刻情報、８０５：再生制御アイコン、８０６：映像回転アイコン。
【図１】
2017228074.tif 000003
【図２】
2017228074.tif 000004
【図３】
2017228074.tif 000005
【図４】
2017228074.tif 000006
【図５】
2017228074.tif 000007
【図６】
2017228074.tif 000008
【図７】
2017228074.tif 000009
【図８】
2017228074.tif 000010
【図９】
2017228074.tif 000011